(57)【要約】【課題】無線通信による通信設定を容易に行えるようにする。【解決手段】通信装置３がデータプロジェクタ１に装着されている場合、データプロジェクタ１のネットワーク制御部１１１は、通信装置３のメモリ３０２に、データプロジェクタ１の通信設定情報を記憶する。通信装置３がコンピュータ２に装着されると、コンピュータ２のＣＰＵ２０９は、この通信設定情報をメモリ３０２から読み出す。そして、ネットワーク制御部１１１，２０７は、この通信設定情報に基づいて通信設定を行う。このため、通信装置３をデータプロジェクタ１からコンピュータ２に差し替えるだけで、データプロジェクタ１とコンピュータ２との間の通信設定が行われる。【選択図】図１
2006227797.tif 000002
【特許請求の範囲】
【請求項１】
端末から無線通信によりデータを受信して、受信データの処理を行うデータ処理装置において、
無線通信を行うために必要な通信設定情報を記憶する本体記憶部と、
無線通信機能を有するとともに記憶部が備えられた通信装置が装着されて、前記本体記憶部に記憶されている通信設定情報を前記通信装置の記憶部に記憶する記憶制御部と、
前記通信装置が前記端末に装着され、前記本体記憶部及び前記通信装置の記憶部に記憶された通信設定情報に従って前記通信装置との間で無線通信を行い、前記端末からデータを受信する通信部と、を備えた、
ことを特徴とするデータ処理装置。
【請求項２】
前記本体記憶部は、無線通信ネットワークにおいて識別されるための接続ネットワーク名と無線通信に使用する使用チャンネルの情報とを、前記通信設定情報として記憶する、
ことを特徴とする請求項１に記載のデータ処理装置。
【請求項３】
前記端末から無線通信により受信した受信データを画像化して投影面に投影する処理を行うデータプロジェクタである、
ことを特徴とする請求項１又は２に記載のデータ処理装置。
【請求項４】
前記通信装置は、
前記端末に、データを受け取るためのデータ線を介して接続されるとともに、
前記データ線を介して前記端末から供給されたデータを無線通信により送信する送信部と、
前記送信部に無線通信に必要な電力を供給する二次電池と、を備えたものであって、
前記通信装置が装着されたときに前記通信装置の二次電池を充電する充電部を備えた、
ことを特徴とする請求項１乃至３のいずれか１項に記載のデータ処理装置。
【請求項５】
端末から無線通信によりデータを受信して、受信データの画像化処理を行って画像を投影面に投影するデータプロジェクタにおいて、
無線通信を行うために必要な通信設定情報を記憶する本体記憶部と、
無線通信機能を有するとともに記憶部が備えられた着脱可能な通信装置が装着されて、前記本体記憶部に記憶されている通信設定情報を前記通信装置の記憶部に記憶する記憶制御部と、
前記通信装置が前記端末に装着され、前記本体記憶部及び前記通信装置の記憶部に記憶された通信設定情報に従って前記通信装置との間で無線通信を行い、前記端末からデータを受信する通信部と、を備えた、
ことを特徴とするデータプロジェクタ。
【発明の詳細な説明】
【技術分野】
【０００１】
本発明は、データ処理装置及びデータプロジェクタに関するものである。
【背景技術】
【０００２】
コンピュータから供給されたデータを画像化して投影するデータプロジェクタがある。また、コンピュータから、無線通信によりデータをデータプロジェクタに送信するとともに、データプロジェクタに制御コマンドを送信して、データプロジェクタを操作するようにした投影システムがある（例えば、特許文献１参照）。
【特許文献１】特開２００４−０５３７６０号公報（第３頁、図１）
【発明の開示】
【発明が解決しようとする課題】
【０００３】
しかし、従来のこのような投影システムでは、データプロジェクタとコンピュータとで、通信設定を行わなければ、データを送信して画像を投影することはできない。この通信設定作業は繁雑であり、特に、初心者にとっては難しいものである。
【０００４】
本発明は、このような従来の問題点に鑑みてなされたもので、無線通信による通信設定を容易に行うことが可能なデータ処理装置及びデータプロジェクタを提供することを目的とする。
【課題を解決するための手段】
【０００５】
この目的を達成するため、本発明の第１の観点に係るデータ処理装置は、
端末から無線通信によりデータを受信して、受信データの処理を行うデータ処理装置において、
無線通信を行うために必要な通信設定情報を記憶する本体記憶部と、
無線通信機能を有するとともに記憶部が備えられた通信装置が装着されて、前記本体記憶部に記憶されている通信設定情報を前記通信装置の記憶部に記憶する記憶制御部と、
前記通信装置が前記端末に装着され、前記本体記憶部及び前記通信装置の記憶部に記憶された通信設定情報に従って前記通信装置との間で無線通信を行い、前記端末からデータを受信する通信部と、を備えたことを特徴とする。
【０００６】
前記本体記憶部は、無線通信ネットワークにおいて識別されるための接続ネットワーク名と無線通信に使用する使用チャンネルの情報とを、前記通信設定情報として記憶するようにしてもよい。
【０００７】
データ処理装置は、前記端末から無線通信により受信した受信データを画像化して投影面に投影する処理を行うデータプロジェクタであってもよい。
【０００８】
前記通信装置は、
前記端末に、データを受け取るためのデータ線を介して接続されるとともに、
前記データ線を介して前記端末から供給されたデータを無線通信により送信する送信部と、
前記送信部に無線通信に必要な電力を供給する二次電池と、を備えたものであって、
前記通信装置が装着されたときに前記通信装置の二次電池を充電する充電部を備えるようにしてもよい。
【０００９】
また、本発明の第２の観点に係るデータプロジェクタは、
端末から無線通信によりデータを受信して、受信データの画像化処理を行って画像を投影面に投影するデータプロジェクタにおいて、
無線通信を行うために必要な通信設定情報を記憶する本体記憶部と、
無線通信機能を有するとともに記憶部が備えられた着脱可能な通信装置が装着されて、前記本体記憶部に記憶されている通信設定情報を前記通信装置の記憶部に記憶する記憶制御部と、
前記通信装置が前記端末に装着され、前記本体記憶部及び前記通信装置の記憶部に記憶された通信設定情報に従って前記通信装置との間で無線通信を行い、前記端末からデータを受信する通信部と、を備えたことを特徴とする。
【発明の効果】
【００１０】
本発明によれば、無線通信による通信設定を容易に行うことができる。
【発明を実施するための最良の形態】
【００１１】
以下、本発明の実施形態に係るデータ処理装置を図面を参照して説明する。尚、以下の実施形態では、データ処理装置をデータプロジェクタとして説明する。
（実施形態１）
実施形態１に係る投影システムの構成を図１に示す。
実施形態１に係る投影システムは、データプロジェクタ１と、コンピュータ２と、通信装置３と、からなる。
【００１２】
通信装置３は、ＬＡＮ（Local Area Network）カードのようなものであり、接続端子３０１と、メモリ３０２と、通信部３０３と、を備える。
【００１３】
接続端子３０１は、データプロジェクタ１又はコンピュータ２に着脱可能な端子である。
【００１４】
メモリ３０２は、無線通信を行うために必要な通信設定情報を記憶するために備えられたものである。この通信設定情報については後述する。
【００１５】
通信部３０３は、通信装置３がコンピュータ２に装着された場合、無線通信により、データをデータプロジェクタ１に送信するためのものである。
【００１６】
データプロジェクタ１は、コンピュータ２から通信装置３を介して無線通信によりデータを受信して画像化する処理を行い、この画像をスクリーンのような投影面に投影するためのものである。
【００１７】
データプロジェクタ１は、投影装置１０１と、画像処理部１０２と、表示部１０３と、入力装置１０４と、赤外信号受信部１０５と、メモリ１０６と、ＲＯＭ１０７と、ＲＡＭ１０８と、ＣＰＵ１０９と、接続端子１１０と、ネットワーク制御部１１１と、通信部１１２と、を備える。
【００１８】
投影装置１０１は、画像処理部１０２が画像処理したデータ等に基づいて画像を投影面に画像を投影するためのものである。
【００１９】
画像処理部１０２は、投影面に投影された画像の台形歪みの補正等、画像の処理を行うものである。
【００２０】
表示部１０３は、各種データ、画像処理部１０２が画像処理した画像を表示するためのものである。
【００２１】
入力装置１０４は、データを入力するためのものであり、テンキー等（図示せず）を備える。入力装置１０４は、ユーザがテンキー等を操作することによって入力されたデータを取得する。
【００２２】
赤外信号受信部１０５は、データプロジェクタ１に付属するリモコン（図示せず）からの赤外信号を受光するためのものである。このリモコンは、入力装置１０４と同様に、データを入力するためのものであり、テンキー、送信ボタン等を備える。
【００２３】
リモコンは、ユーザがテンキー等を操作することによってデータが入力されて送信ボタンが押下されると、このデータを赤外信号として送信する。赤外信号受信部１０５は、リモコンから、この赤外信号を受信すると、取得したデータをＣＰＵ１０９に送信する。
【００２４】
メモリ１０６は、通信設定情報を予め記憶するものである。メモリ１０６は、例えば、データの消去と書き込みとが可能であり、しかも、データプロジェクタ１の電源を切っても記憶内容が消えないフラッシュメモリ等によって構成される。
【００２５】
通信設定情報は、通信部１１２が通信装置３との間で無線通信を行うために必要な情報であり、メモリ１０６は、通信設定情報として、接続ネットワーク名と無線通信に使用するチャンネル情報とを記憶する。
【００２６】
接続ネットワーク名は、通信ネットワークにおけるデータプロジェクタ１の識別名であり、使用チャンネル情報は、無線通信に使用するチャンネルの情報である。
【００２７】
ＲＯＭ１０７は、ＣＰＵ１０９が実行するプログラム等のデータを記憶するものである。ＲＡＭ１０８は、ＣＰＵ１０９の作業に必要なデータを記憶するものである。
【００２８】
ＣＰＵ１０９は、データプロジェクタ１全体を制御するためのものである。具体的に、ＣＰＵ１０９は、通信装置３がデータプロジェクタ１に装着されている場合、メモリ１０６から、通信設定情報を読み出してネットワーク制御部１１１に供給する。そして、ＣＰＵ１０９は、通信装置３のメモリ３０２に記憶するようにネットワーク制御部１１１を制御する。
【００２９】
また、ＣＰＵ１０９は、入力装置１０４と赤外信号受信部１０５とから送信された情報を取得し、取得した情報に基づいてデータプロジェクタ１を制御する。
【００３０】
接続端子１１０は、通信装置３をデータプロジェクタ１に装着するためのものであり、通信装置３の接続端子３０１と接続されて、データプロジェクタ１と通信装置３との間でデータの入出力が可能になる。
【００３１】
ネットワーク制御部１１１は、通信に関する設定を行うためのものである。ネットワーク制御部１１１は、ＣＰＵ１０９から通信設定情報が供給されると、ＣＰＵ１０９に制御されて、通信設定情報を通信装置３のメモリ３０２に記憶する。
【００３２】
ネットワーク制御部１１１は、通信設定情報として、データプロジェクタ１の接続ネットワーク名とチャンネル情報とを通信装置３のメモリ３０２に記憶する。
【００３３】
通信部１１２は、通信設定情報に従って通信設定が行われた場合に、コンピュータ２に装着された通信装置３との間で無線通信を行い、コンピュータ２からデータを受信するものである。
【００３４】
コンピュータ２は、データプロジェクタ１にデータを供給するための端末である。コンピュータ２は、接続端子２０１と、入力装置２０２と、記憶装置２０３と、ビデオアダプタ２０４と、ＶＲＡＭ２０５と、表示装置２０６と、ネットワーク制御部２０７と、ＲＡＭ２０８と、ＣＰＵ２０９と、を備える。
【００３５】
接続端子２０１は、通信装置３を装着するためのものであり、通信装置３がコンピュータ２に装着されて、コンピュータ２と通信装置３との間でデータの入出力が可能になる。
【００３６】
入力装置２０２は、キーボード、マウス、テンキー等からなり、データを入力するためのものである。ＲＧＢ信号を送信するための送信コマンドが入力された場合、入力装置２０２は、ＣＰＵ２０９にこの送信コマンドを送信する。
【００３７】
記憶装置２０３は、半導体メモリ、ＨＤＤ（Hard Disk Drive）等からなり、通信設定情報、データ等を記憶するものである。また、記憶装置２０３は、ＣＰＵ２０９が実行する各種プログラムのデータも記憶する。
【００３８】
ビデオアダプタ２０４は、ＶＲＡＭ２０５、表示装置２０６等、画面表示に関する機器を接続するためのものである。ＶＲＡＭ（Video Random Access Memory）２０５は、Ｒ（赤）Ｇ（緑）Ｂ（青）データを記憶するためのものである。
【００３９】
表示装置２０６は、例えば、液晶ディスプレイ等からなり、ＶＲＡＭ２０５が記憶したＲＧＢデータに基づいて画像を表示するためのものである。表示装置２０６は、画像を表示する場合、ビデオアダプタ２０４を介してＶＲＡＭ２０５からＲＧＢデータを取得する。
【００４０】
ネットワーク制御部２０７は、無線通信に関する設定、ネットワーク制御を行うとともに、ＣＰＵ２０９から供給されたＲＧＢ信号を通信装置３に供給するためのものである。
【００４１】
ネットワーク制御部２０７は、コンピュータ２に通信装置３が装着されてメモリ３０２に通信設定情報が記憶されている場合、メモリ３０２から通信設定情報を読み出す。ネットワーク制御部２０７は、読み出した通信設定情報をＣＰＵ２０９に供給する。
【００４２】
無線通信を行う場合、ネットワーク制御部２０７は、ＣＰＵ２０９から通信設定情報が供給され、この通信設定情報に基づいて無線通信に関する設定を行う。即ち、ネットワーク制御部２０７は、接続ネットワーク名と使用チャンネルとに基づいて、データプロジェクタ１との無線通信による接続処理を行う。接続処理が完了すると、ネットワーク制御部２０７は、ＣＰＵ２０９からＲＧＢ信号を受け取って、装着された通信装置３に供給する。
【００４３】
ＲＡＭ２０８は、ＣＰＵ２０９の作業に必要なデータを記憶するためのものである。ＣＰＵ２０９は、コンピュータ２の各部を制御するものである。
【００４４】
具体的に、ＣＰＵ２０９は、コンピュータ２に通信装置３が装着された場合、通信装置３から通信設定情報を読み出すように、ネットワーク制御部２０７を制御する。
【００４５】
そして、ＣＰＵ２０９は、ネットワーク制御部２０７が読み出した通信設定情報を記憶装置２０３に記憶する。
【００４６】
入力装置２０２から送信コマンドが送信されると、ＣＰＵ２０９は、記憶装置２０３から通信設定情報を読み出してネットワーク制御部２０７に供給する。ＣＰＵ２０９は、ＶＲＡＭ２０５から、ビデオアダプタ２０４を介してＲＧＢデータを読み出して、ＲＧＢ信号をネットワーク制御部２０７に供給する。
【００４７】
次に実施形態１に係る投影システムの動作を説明する。
コンピュータ２からデータプロジェクタ１にＲＧＢ信号を送信しない場合、通信装置３は、データプロジェクタ１に装着される。
【００４８】
通信装置３がデータプロジェクタ１に装着されると、ＣＰＵ１０９とネットワーク制御部１１１とは、図２に示すフローチャートに従って、通信設定処理（１）を実行する。
【００４９】
即ち、ＣＰＵ１０９は、データプロジェクタ１の接続ネットワーク名をメモリ１０６から読み出す（ステップＳ１１）。
【００５０】
ＣＰＵ１０９は、読み出したデータプロジェクタ１の接続ネットワーク名をネットワーク制御部１１１に供給する（ステップＳ１２）。
【００５１】
ネットワーク制御部１１１は、供給された接続ネットワーク名を通信装置３のメモリ３０２に記憶する（ステップＳ１３）。
ネットワーク制御部１１１は、使用チャンネルを選択する（ステップＳ１４）。
【００５２】
ネットワーク制御部１１１は、選択した使用チャンネルの情報を通信装置３のメモリ３０２に記憶する（ステップＳ１５）。また、メモリ１０６も、この使用チャンネルの情報を記憶する。
【００５３】
コンピュータ２がデータプロジェクタ１にＲＧＢ信号を送信する場合、通信装置３は、コンピュータ２に装着される。
【００５４】
通信装置３がコンピュータ２に装着されると、コンピュータ２のＣＰＵ２０９とネットワーク制御部２０７とは、図３に示すフローチャートに従って通信設定処理（２）を実行する。
【００５５】
即ち、ネットワーク制御部２０７は、通信設定情報を通信装置３のメモリ３０２から読み出す（ステップＳ２１）。
【００５６】
ネットワーク制御部２０７は、読み出した通信設定情報をＣＰＵ２０９に供給する（ステップＳ２２）。
【００５７】
ＣＰＵ２０９は、供給された通信設定情報を記憶装置２０３に記憶する（ステップＳ２３）。
【００５８】
次に、この通信設定処理を具体的に説明する。
例えば、図４に示すように、データプロジェクタ１とコンピュータ２１〜２３とは、無線通信が可能な装置であるものとする。コンピュータ２１〜２３は、図１に示すコンピュータ２と同様の構成を有するものである。
【００５９】
データプロジェクタ１の接続ネットワーク名を“ＤＪ１”とすると、データプロジェクタ１のメモリ１０６は、予めこの接続ネットワーク名“ＤＪ１”を記憶する。
【００６０】
コンピュータ２１〜２３からデータプロジェクタ１にＲＧＢ信号を送信しない場合、通信装置３は、図４に示すように、データプロジェクタ１に装着される。この場合、ＣＰＵ１０９は、この接続ネットワーク名“ＤＪ１”をメモリ１０６から読み出して、ネットワーク制御部１１１に供給する（ステップＳ１１，Ｓ１２の処理）。
【００６１】
ネットワーク制御部１１１は、供給された接続ネットワーク名“ＤＪ１”を通信装置３のメモリ３０２に記憶する（ステップＳ１３の処理）。
【００６２】
また、例えば、無線通信のチャンネルとして、チャンネル“ＣＨ１”が使用可能である場合、ネットワーク制御部１１１は、チャンネル“ＣＨ１”を使用チャンネルとして選択し、使用チャンネル情報“ＣＨ１”を通信装置３のメモリ３０２に記憶する（ステップＳ１４，Ｓ１５の処理）。また、メモリ１０６もこの使用チャンネル情報“ＣＨ１”を記憶する。
【００６３】
コンピュータ２２からデータプロジェクタ１にＲＧＢ信号を送信する場合、通信装置３は、図５に示すように、コンピュータ２２に装着される。
【００６４】
通信装置３がコンピュータ２２に装着されると、コンピュータ２２のネットワーク制御部２０７は、通信装置３のメモリ３０２から、接続ネットワーク名“ＤＪ１”と使用チャンネル情報“ＣＨ１”とを読み出す（ステップＳ２１の処理）。
【００６５】
そして、ネットワーク制御部２０７は、読み出した接続ネットワーク名“ＤＪ１”と使用チャンネル情報“ＣＨ１”とをＣＰＵ２０９に供給する（ステップＳ２２の処理）。
【００６６】
ＣＰＵ２０９は、接続ネットワーク名“ＤＪ１”と使用チャンネル“ＣＨ１”とを記憶装置２０３に記憶する（ステップＳ２３の処理）。このようにしてデータプロジェクタ１のメモリ１０６とコンピュータ２２の記憶装置２０３とは、同一の通信設定情報を記憶する。
【００６７】
次に、ＣＰＵ２０９は、記憶装置２０３からデータを読み出し、ビデオアダプタ２０４を介して読み出したＲＧＢデータをＶＲＡＭ２０５に書き込む。
【００６８】
表示装置２０６は、ＶＲＡＭ２０５に書き込まれたＲＧＢデータをビデオアダプタ２０４を介して取得し、取得したＲＧＢデータに基づいて画像を表示する。
【００６９】
ユーザが入力装置２０２に、このＲＧＢデータの送信コマンドを入力すると、入力装置２０２は、応答して、この送信コマンドをＣＰＵ２０９に送信する。
【００７０】
ＣＰＵ２０９は、この送信コマンドを取得すると、記憶装置２０３から、通信設定情報として、接続ネットワーク名“ＤＪ１”と使用チャンネル情報“ＣＨ１”とを読み出して、ネットワーク制御部２０７に供給する。
【００７１】
ネットワーク制御部２０７は、接続ネットワーク名“ＤＪ１”に従って、データプロジェクタ１を特定し、使用チャンネル“ＣＨ１”に基づいて、使用するチャンネル“ＣＨ１”を設定する。そして、ネットワーク制御部２０７は、データプロジェクタ１との無線通信の接続処理を実行する。
【００７２】
無線通信により、通信装置３とデータプロジェクタ１との接続が確立すると、ＣＰＵ２０９は、指定されたＲＧＢデータを、ビデオアダプタ２０４を介してＶＲＡＭ２０５から読み出す。ＣＰＵ２０９は、読み出したＲＧＢデータを、ＲＧＢ信号としてネットワーク制御部２０７に供給する。
【００７３】
ネットワーク制御部２０７は、ＣＰＵ２０９からＲＧＢ信号を受け取り、受け取ったＲＧＢ信号を通信装置３に供給する。
【００７４】
通信装置３の通信部３０３は、チャンネル“ＣＨ１”を使用して、データプロジェクタ１に、供給されたＲＧＢ信号を送信する。このようにして、コンピュータ２２は、データプロジェクタ１にＲＧＢ信号を供給する。
【００７５】
次に、データプロジェクタ１の通信部１１２は、コンピュータ２２に装着された通信装置３から送信されたＲＧＢ信号を受信する。
ネットワーク制御部１１１は、通信部１１２が受信したＲＧＢ信号をＣＰＵ１０９に供給する。
【００７６】
ＣＰＵ１０９は、表示部１０３に、このＲＧＢ信号に基づいて画像を表示させる。そして、ＣＰＵ１０９は、投影装置１０１にこのＲＧＢ信号を供給し、投影装置１０１は、このＲＧＢ信号に基づいて画像をスクリーン４に投影する。
【００７７】
スクリーン４に投影した画像が歪んでいる場合、画像処理部１０２は、この画像に対して台形歪み補正を行う。
【００７８】
そして、ＣＰＵ１０９は、画像処理部１０２が台形歪み補正を行ったデータを、再度、投影装置１０１に供給し、投影装置１０１は、補正された画像をスクリーン４に投影する。
【００７９】
以上説明したように、実施形態１によれば、データプロジェクタ１のネットワーク制御部１１１は、通信装置３のメモリ３０２に、データプロジェクタ１の通信設定情報を書き込む。コンピュータ２は、この通信設定情報をメモリ３０２から読み出して記憶する。ＲＧＢ信号をデータプロジェクタ１に送信する場合、データプロジェクタ１とコンピュータ２とは、この通信設定情報に従って通信設定を行い、データプロジェクタ１は、無線通信により、ＲＧＢ信号を受信する。
【００８０】
従って、通信装置３をデータプロジェクタ１からコンピュータ２に差し替えるだけで、ユーザが特別の設定をすることなく無線通信による通信設定が可能になり、初心者にとっても容易に通信設定を行うことができる。
【００８１】
（実施形態２）
実施形態２に係る投影システムは、通信装置がＲＧＢケーブルを介してコンピュータに接続されるように構成されたものである。
【００８２】
実施形態２に係る投影システムの構成を図６に示す。
コンピュータ２は、ＲＧＢ端子２１１を備える。このＲＧＢ端子２１１は、コンピュータ２に一般的に備えられたものであり、ＲＧＢ信号を入出力するための端子である。ＲＧＢ端子２１１は、ビデオアダプタ２０４に接続される。
【００８３】
通信装置３は、ＲＧＢ端子３１１と、Ａ／Ｄ変換部３１２と、圧縮部３１３と、二次電池３１４と、を備える。
【００８４】
ＲＧＢ端子３１１は、ＲＧＢケーブル５が接続される端子である。ＲＧＢケーブル５は、コンピュータ２から、ＲＧＢ信号を受け取るためのデータ線である。
【００８５】
Ａ／Ｄ変換部３１２は、ＲＧＢケーブル５、ＲＧＢ端子３１１を介して受け取ったアナログのＲＧＢ信号をディジタル信号に変換するためのものである。
【００８６】
圧縮部３１３は、Ａ／Ｄ変換部３１２が変換したディジタル信号を圧縮し、圧縮したディジタル信号を通信部３０３に供給するためのものである。
【００８７】
二次電池３１４は、通信部３０３に、無線通信に必要な電力を供給するためのものである。二次電池３１４は、ＲＧＢケーブル５に電力供給線がないために備えられたものである。
【００８８】
データプロジェクタ１は、図７に示すように、電源部１２１と、充電器１２２と、を備える。
【００８９】
電源部１２１は、交流電源（図示せず）から交流電力が供給されてデータプロジェクタ１に電力を供給するためのものである。
【００９０】
充電器１２２は、電源部１２１から電力が供給されて、通信装置３の二次電池３１４を充電するためのものである。充電器１２２は、データプロジェクタ１に通信装置３が装着されると、データプロジェクタ１の接続端子１１０と通信装置３の接続端子３０１とを介して電流を二次電池３１４に供給し、二次電池３１４を充電する。
【００９１】
次に実施形態２に係る投影システムの動作を説明する。
コンピュータ２からデータプロジェクタ１にＲＧＢ信号を送信しない場合、通信装置３の接続端子３０１は、データプロジェクタ１の接続端子１１０に接続される。
【００９２】
ネットワーク制御部１１１は、実施形態１と同様に、ＣＰＵ１０９から供給された通信設定情報を通信装置３のメモリ３０２に記憶する。
【００９３】
充電器１２２は、電源部１２１から電力が供給されて、データプロジェクタ１の接続端子１１０，通信装置３の接続端子３０１を介して電流を二次電池３１４に供給し、二次電池３１４を充電する。
【００９４】
コンピュータ２からデータプロジェクタ１にＲＧＢ信号を送信する場合、通信装置３のＲＧＢ端子３１１は、コンピュータ２のＲＧＢ端子２１１に接続される。
【００９５】
通信装置３がコンピュータ２に装着されると、ＣＰＵ２０９は、通信装置３のメモリ３０２から、ＲＧＢ端子３１１、ＲＧＢケーブル５、ＲＧＢ端子２１１、ビデオアダプタ２０４を介して通信設定情報を読み出して、記憶装置２０３に記憶する。
【００９６】
ＣＰＵ２０９は、記憶装置２０３に記憶した通信設定情報に基づいて通信設定を行う。無線通信による接続が行われると、ＣＰＵ２０９は、ＶＲＡＭ２０５に記憶されたＲＧＢデータをＲＧＢ信号として、ビデオアダプタ２０４、ＲＧＢ端子２１１、ＲＧＢケーブル５を介して通信装置３に供給する。
【００９７】
通信装置３のＡ／Ｄ変換部３１２は、ＲＧＢ端子３１１を介してアナログのＲＧＢ信号を受け取り、このＲＧＢ信号をディジタル信号に変換する。
【００９８】
圧縮部３１３は、Ａ／Ｄ変換部３１２が変換したディジタル信号を圧縮して通信部３０３に供給する。
【００９９】
通信部３０３は、二次電池３１４から、送信に必要な電力が供給されて、圧縮部３１３から供給されたディジタル信号をデータプロジェクタ１に送信する。
【０１００】
以上説明したように、実施形態２によれば、通信装置３は、ＲＧＢケーブル５を介してコンピュータ２に接続され、コンピュータ２のＣＰＵ２０９は、ＲＧＢケーブル５を介して通信設定情報を取得し、ＲＧＢ信号を通信装置３に供給する。また、データプロジェクタ１の充電器１２２は、通信装置３がデータプロジェクタ１に装着されているときに、通信装置３の二次電池３１４を充電するようにした。
【０１０１】
従って、コンピュータ２は、一般的に備えるＲＧＢ端子２１１を介して通信設定情報を取得することができ、コンピュータ２からデータプロジェクタ１にＲＧＢ信号を供給することができる。
【０１０２】
尚、本発明を実施するにあたっては、種々の形態が考えられ、上記実施形態に限られるものではない。
例えば、図８に示すように、通信装置３がデータプロジェクタ１に装着されている状態で、コンピュータ２からデータプロジェクタ１にＲＧＢ信号を送信することもできる。この場合、データプロジェクタ１は、接続検知部１３１と、ＲＧＢ端子１３２と、を備える。
【０１０３】
接続検知部１３１は、通信装置３の装着の有無を検知するためのものであり、通信装置３がデータプロジェクタ１に装着されると、通信装置３の装着を示す装着検知信号をＣＰＵ１０９に送信する。
【０１０４】
ＲＧＢ端子１３２は、ＲＧＢケーブル５と接続するための端子であり、ＲＧＢケーブル５が接続されて、ＲＧＢ信号の入力が可能になる。ＲＧＢ端子１３２は、画像処理部１０２に接続される。
【０１０５】
ＣＰＵ１０９は、接続検知部１３１から装着検知信号を受信しなければ、実施形態１と同様に、通信装置３との間で無線通信を行い、ＲＧＢ信号を受信する。
【０１０６】
一方、ＣＰＵ１０９は、接続検知部１３１から装着検知信号を受信すると、画像処理部１０２にＲＧＢ端子１３２を介してＲＧＢ信号を取得するように、画像処理部１０２を制御する。
【０１０７】
尚、図９に示すように、データプロジェクタ１が、さらに二次電池１２３と充電器１２４とを備えるようにしてもよい。この場合、充電器１２４は、データプロジェクタ１用の電源部１２１とは別の外部電源から電力が供給されて、二次電池１２３を充電し、充電器１２１は、二次電池１２３から電力が供給されて、通信装置３の二次電池３１４を充電する。
【０１０８】
次に、上記実施形態では、データプロジェクタ１のメモリ１０６に予め通信設定情報を記憶されているものとした。しかし、この通信設定情報をデータプロジェクタ１側で書き込んだり、書き替えたりすることもできる。
【０１０９】
この場合、データプロジェクタ１の入力装置１０４又はリモコンから通信設定情報が入力されるようにする。
【０１１０】
上記実施形態では、データプロジェクタ１は、通信設定情報として、接続ネットワーク名とチャンネル情報とを通信装置３のメモリ３０２に記憶するようにした。しかし、通信設定情報は、これに限られるものではなく、例えば、使用する無線ＬＡＮの通信規格、暗号化の有無情報、盗聴防止のために暗号化したデータの復号化キーの情報、パスワード等を含むものであってもよい。さらに、通信設定情報は、データプロジェクタ１のオン、オフ情報といったデータプロジェクタ１を遠隔操作するための制御情報を含むものであってもよい。
【０１１１】
次に、データプロジェクタ１のネットワーク制御部１１１と画像処理部１０２と、コンピュータ２のネットワーク制御部２０７とは、ハードウェアで構成されてもよいし、ソフトウェアで構成されてもよい。
【０１１２】
次に、上記実施形態では、データ処理装置をデータプロジェクタ１として説明した。しかし、データ処理装置は、このものに限られるものではなく、例えば、コンピュータ２と同様の構成を有する端末であってもよい。また、コンピュータ２も携帯端末であってもよい。
【図面の簡単な説明】
【０１１３】
【図１】本発明の実施形態１に係る投影システムの構成を示すブロック図である。
【図２】図１に示す通信装置がデータプロジェクタに装着された場合に、データプロジェクタが実行する通信設定処理（１）を示すフローチャートである。
【図３】図１に示す通信装置がコンピュータに装着された場合に、コンピュータが実行する通信設定処理（２）を示すフローチャートである。
【図４】図１に示す通信装置がデータプロジェクタに装着された場合の具体例を示す図である。
【図５】図１に示す通信装置がコンピュータに接続された場合の具体例を示す図である。
【図６】本発明の実施形態２に係る投影システムとして、コンピュータと通信装置との構成を示すブロック図である。
【図７】本発明の実施形態２に係る投影システムとして、データプロジェクタと通信装置との構成を示すブロック図である。
【図８】実施形態１に係るデータプロジェクタの応用例（１）を示すブロック図である。
【図９】実施形態１に係るデータプロジェクタの応用例（２）を示すブロック図である。
【符号の説明】
【０１１４】
１・・・データプロジェクタ、２・・・コンピュータ、３・・・通信装置、１０１・・・投影装置、１０６・・・メモリ、１０９・・・ＣＰＵ、１１１・・・ネットワーク制御部、２０７・・・ネットワーク制御部、２０９・・・ＣＰＵ、３０２・・・メモリ、３０３・・・通信部
【図１】
2006227797.tif 000003
【図２】
2006227797.tif 000004
【図３】
2006227797.tif 000005
【図４】
2006227797.tif 000006
【図５】
2006227797.tif 000007
【図６】
2006227797.tif 000008
【図７】
2006227797.tif 000009
【図８】
2006227797.tif 000010
【図９】
2006227797.tif 000011